(57)【要約】【課題】デジタルカメラに用いられていた光検出器を、被写体の撮影用だけではなく、ホログラムメモリの読み出し用にも使用できる光メモリ媒体再生装置を提供する。【解決手段】光メモリ媒体再生装置１３は、被写体からの物体光を電気信号に変換する光検出器３に結像させるためのデジタルカメラ用結像レンズ２、及び、コアとクラッドを積層させ、ホログラムとしてデータを記憶しているホログラムメモリ８のコア層にレーザ光１０を導入させるためのホログラムメモリ用集光レンズ９を有し、ホログラムメモリ８から回折されるホログラム像を電気信号として再生し、一つの光検出器３でカメラ機能、及び、光ホログラムメモリ媒体再生機能を有する。【選択図】図１
2006004517.tif 000002
【特許請求の範囲】
【請求項１】
被写体からの物体光を電気信号に変換する電気信号変換手段に結像させるための第１の集光手段、及び、コアとクラッドを積層させ、ホログラムとしてデータを記憶しているホログラムメモリのコア層にレーザ光を導入させるための第２の集光手段を有し、
ホログラムメモリから回折されるホログラム像を電気信号として再生し、
一つの電気信号変換手段でカメラ機能、及び、光ホログラムメモリ媒体再生機能を有する
ことを特徴とする光メモリ媒体再生装置。
【請求項２】
カメラとして機能する場合には、前記第１の集光手段を駆動させて、前記第２の集光手段を休止させるように制御し、光ホログラム媒体再生装置として機能する場合には、前記第２の集光手段を駆動させて、前記第１の集光手段を休止させるように制御する制御手段を更に有する請求項１に記載の光メモリ媒体再生装置。
【請求項３】
前記ホログラムメモリが着脱可能なように構成される請求項１又は２に記載の光メモリ媒体再生装置。
【請求項４】
前記ホログラムメモリの特定のコア層に光を入射させるために、前記第２の集光手段の位置を調整する位置調整手段を更に有する請求項１〜３のいずれかの項に記載の光メモリ媒体再生装置。
【請求項５】
前記第１の集光手段により結像される被写体像が前記電気信号変換手段に入射するのを遮蔽するための光遮蔽手段を更に有する請求項１〜４のいずれかの項に記載の光メモリ媒体再生装置。
【発明の詳細な説明】
【技術分野】
【０００１】
本発明は、ホログラムメモリからデータを読み出す光メモリ媒体再生装置に関するものである。
【背景技術】
【０００２】
図５（Ａ）は、従来のデジタルカメラ１の構造を示す概略図である。デジタルカメラ１は、レンズ２と、光検出器３を有している。レンズ２は、デジタルカメラ１に入射した外部光を一旦集光させ、光検出器３上に結像させる。光検出器３は、光検出器３上に結像される被写体像の光強度等のデータを電気信号に変換する。
【０００３】
図５（Ｂ）は、図５（Ａ）に示したデジタルカメラ１の動作時の様子を示す概略図である。太陽光などの外部光を被写体４での散乱光が、デジタルカメラ用結像レンズ２に入射する。デジタルカメラ用結像レンズ２では、入射光が一旦集光され、光検出器３上で被写体像５が結像される。光検出器３では、結像された被写体像５のデータが電気信号に変換される。
電気信号に変換された被写体４のデータは、記録媒体（図示省略）などに記録されることにより、画像データとして利用が可能になる。
しかし、従来のデジタルカメラ１では、光検出器３は、被写体４の撮影用としてのみ用いられており、その他の用途には用いられていなかった。
【０００４】
一方、ホログラムメモリに関する内容としては、大容量のデータをホログラムメモリから読み出す技術が、特許文献１及び特許文献２に開示されている。
【特許文献１】特開平１１−３４５４１９号公報
【特許文献２】特開２００３−１４１４７５号公報
【発明の開示】
【発明が解決しようとする課題】
【０００５】
本発明は上記事情を考慮してなされたもので、その目的は、デジタルカメラに用いられていた光検出器を、被写体の撮影用だけではなく、ホログラムメモリの読み出し用にも使用できる光メモリ媒体再生装置を提供することにある。
【課題を解決するための手段】
【０００６】
本発明は上記の課題を解決すべくなされたもので、請求項１に記載の発明は、被写体からの物体光を電気信号に変換する電気信号変換手段に結像させるための第１の集光手段、及び、コアとクラッドを積層させ、ホログラムとしてデータを記憶しているホログラムメモリのコア層にレーザ光を導入させるための第２の集光手段を有し、ホログラムメモリから回折されるホログラム像を電気信号として再生し、一つの電気信号変換手段でカメラ機能、及び、光ホログラムメモリ媒体再生機能を有することを特徴とする。
【０００７】
また、請求項２に記載の発明は、請求項１に記載の発明において、カメラとして機能する場合には、前記第１の集光手段を駆動させて、前記第２の集光手段を休止させるように制御し、光ホログラム媒体再生装置として機能する場合には、前記第２の集光手段を駆動させて、前記第１の集光手段を休止させるように制御する制御手段を更に有する。
【０００８】
また、請求項３に記載の発明は、請求項１又は２に記載の発明において、前記ホログラムメモリが着脱可能なように構成される。
【０００９】
また、請求項４に記載の発明は、請求項１〜３のいずれかの項に記載の発明において、前記ホログラムメモリの特定のコア層に光を入射させるために、前記第２の集光手段の位置を調整する位置調整手段を更に有する。
【００１０】
また、請求項５に記載の発明は、請求項１〜４のいずれかの項に記載の発明において、前記第１の集光手段により結像される被写体像が前記電気信号変換手段に入射するのを遮蔽するための光遮蔽手段を更に有する。
【発明の効果】
【００１１】
請求項１に記載の発明によれば、光変換手段を、第１の集光手段と第２の集光手段とで共用する構成としたため、デジタルカメラに利用可能な安価かつ小型の光メモリ媒体再生装置を提供することができる。
【００１２】
請求項２に記載の発明によれば、カメラとして使用する場合と、ホログラムメモリからデータを読み出す場合のそれぞれの場合において、第１の集光手段と第２の集光手段のいずれを駆動させるかを制御する制御手段を設けたので、本発明の光メモリ媒体再生装置をカメラとして利用することも、データの読み出しに利用することも可能となる。
【００１３】
請求項３に記載の発明によれば、ホログラムメモリ媒体を着脱可能なようにしたので、光メモリ媒体再生装置において、種々のデータが記録されたホログラムメモリを再生することが可能となる。
【００１４】
請求項４に記載の発明によれば、第２の集光手段を設けたので、ホログラムメモリの特定のコア層にレーザ光を入射させることが可能となり、複数層にわたりホログラムメモリに記録されたデータの中から特定のデータを読み出すことができる。
【００１５】
請求項５に記載の発明によれば、第１の集光手段により結像される被写体像が電気信号変換手段に入射するのを遮蔽するための光遮蔽手段を設けたため、光メモリ媒体再生装置からデータを読み出す場合にノイズをなくすことができ、品質の高いデータを読み出すことが可能となる。
【発明を実施するための最良の形態】
【００１６】
図２は、本発明の実施形態によるホログラムメモリ８の構成を示す断面図である。ホログラムメモリ８はクラッド層６（６−１、６−２、６−３、・・・）とコア層７（７−１、７−２、７−３、・・・、７−ｎ、・・・）が交互に積層された構造をしている。
コア層７は、石英やプラスチックなどの透明な材質を用いて形成される。コア層７の厚さは１μｍ程度である。一方、クラッド層６は、コア層７よりも屈折率の小さい材質を用いて形成される。クラッド層６の厚さは１０μｍ程度である。
【００１７】
次に、ホログラムメモリ８からデータを読み出す方法を説明する。ホログラムメモリ８の側面からはレーザ光１０が照射される。レーザ光１０は、ホログラムメモリ用集光レンズ９によってが集光され、コア層７−ｎに入射される。コア層７−ｎに入射されたレーザ光１０はコア層７−ｎ中を矢印Ｄ１の方向に伝わる。クラッド層６には、コア層７に入射されるレーザ光１０を散乱させるホログラムが形成されている。
【００１８】
コア層７−ｎに入射されたレーザ光１０は、クラッド層６に記録されるデータに対応して形成されたホログラムで散乱され、コア層７−ｎの上下方向にそれぞれ散乱された回折光１１が、ホログラムメモリ８の上下にホログラム像１２を形成する。このホログラム像１２を光検出器で検出することにより、ホログラムメモリ８からデータを読み出すことができる。ホログラムメモリ８は安価な材料で形成することが可能であるため、大容量のデータを低価格で提供することができる。
【００１９】
図３は、本発明の実施形態による光メモリ媒体再生装置１３の構成を示す断面図である。光メモリ媒体再生装置１３は、デジタルカメラ用結像レンズ２、光検出器３、ホログラムメモリ８、ホログラムメモリ用集光レンズ９を有する。デジタルカメラ用結像レンズ２は、光メモリ媒体再生装置１３の外部から入射される外部光を光検出器３上に結像させる。ホログラムメモリ用集光レンズ９は、ホログラムメモリ８を構成するコア層７（図２）に対して、レーザ光１０を集光して入射させる。
【００２０】
なお、ホログラムメモリ８が複数のクラッド層６及びコア層７から構成され、複数層にわたってデータが記録される場合には、ホログラムメモリ用集光レンズ９を矢印Ｄ２の方向に移動可能なようにして、特定のコア層にレーザ光１０を入射させるように構成する。
ホログラムメモリ８は石英やプラスチックなどの透明な材質を用いて形成されるため、デジタルカメラ用結像レンズ２から入射した光は遮られることなく光検出器３に到達する。
【００２１】
また、ホログラムメモリ８は読み取り専用であるため、光メモリ媒体再生装置１３に固定せずに、他のデータが記録されているホログラムメモリと取り替え可能なように構成することもできる。このような構成とすることにより、光メモリ媒体再生装置１３を用いて、画像データ、音楽データなどの種々のデータをホログラムメモリから読み出すことができる。
光検出器３は、デジタルカメラ用結像レンズ２で結像された被写体像が結像する位置に配置される。光検出器３としては、ＣＭＯＳ（Complementary MOS：相補型ＭＯＳ）、ＣＣＤ（Charge Coupled Device：電荷結合素子）などを用いることができる。
【００２２】
図４は、本実施形態の光メモリ媒体再生装置１３が、デジタルカメラとして動作する場合を示す断面図である。太陽光などの外部光が、被写体４によって反射されて、光メモリ媒体再生装置１３のデジタルカメラ用結像レンズ２に入射する。デジタルカメラ用結像レンズ２に入射した被写体像５は集光されて、ホログラムメモリ８内を通過する。ホログラムメモリ８は、完全透明であるため、屈折などに対して光学上の設計を施すことにより、デジタルカメラ用結像レンズ２から入射された被写体像５は、ホログラムメモリ８によって遮られることなく光検出器３に到達することができる。
【００２３】
デジタルカメラ用結像レンズ２によって集光された外部光は、ホログラムメモリ８を通過した後、光検出器３上に被写体像５を結像する。光検出器３では、光検出器３上に結像した被写体像５の光強度等に応じて電気信号に変換する処理を行う。光検出器３で電気信号に変換された被写体４を撮影したデータは、記録媒体（図示省略）などに記録されて、画像データとして利用することが可能となる。
【００２４】
図１は、本実施形態の光メモリ媒体再生装置１３が、ホログラムメモリ８からデータを読み出す場合の動作を示す断面図である。
ホログラムメモリ用集光レンズ９は、ホログラムメモリ８に記録されている特定の層に記録されているデータの読み出しを行うために、ホログラムメモリ８中の特定のコア層７にレーザ光１０を入射するように位置が制御される。
【００２５】
ホログラムメモリ用集光レンズ９によって集光されたレーザ光１０は、ホログラムメモリ８のコア層７中を伝わる。コア層７をレーザ光１０が通過する際に、クラッド層６によってレーザ光１０が散乱され、ホログラムメモリ８の上下の空間にホログラム像が形成される。光検出器３を用いて、ホログラムメモリ８の下側の領域に形成されたホログラム像を検出する。光検出器３で検出されたホログラム像は電気信号に変換されて記録媒体（図示省略）などに読み出される。
【００２６】
これにより、ホログラムメモリ８にホログラムの形で記録されているデータを、パソコンなどで処理可能なデータとして読み出すことができる。ホログラムメモリ８には、画像データ、音楽データなど種々のデータを記録させることができる。
なお、光メモリ媒体再生装置１３のホログラムメモリ８からデータを読み出す場合に、デジタルカメラ用結像レンズ２から入射した被写体像５が光検出器３上で結像することによりノイズが発生するおそれがある。そこで、デジタルカメラ用結像レンズ２からの入射光が光検出器３に到達しないように遮蔽し、光検出器３上にホログラムメモリ像のみを結像させるためのシャッタを設けることもできる。
【００２７】
このように光メモリ媒体再生装置１３にシャッタの機構を設けることにより、デジタルカメラ用結像レンズ２から入射する光を完全に遮蔽することができるため、ホログラムメモリ８から読み出すデータの質を向上させることができる。ただ、光メモリ媒体再生装置１３にシャッタの機構を設けない場合であっても、暗室で使用したり、手などでデジタルカメラ用結像レンズ２を覆って使用するようすることにより、ホログラムメモリ８から読み出すデータの質を向上させるようにすることもできる。
【００２８】
本実施形態のように光メモリ媒体再生装置１３を構成することにより、デジタルカメラとして用いる場合、ホログラムメモリ８からデータを読み出すのに用いる場合、のそれぞれの場合において光検出器３を共用することが可能となる。よって、カメラ機能とデータ再生機能を併せ持った機器を、安価かつ小型に製造することができる。
【００２９】
以上、実施形態に沿って本発明を説明したが、本発明はこれらに制限されるものではない。例えば、種々の変更、改良、組み合わせ等が可能なことは当業者に自明であろう。
【産業上の利用可能性】
【００３０】
デジタルカメラに大容量のデータを読み出す機能を持たせたパソコン周辺機器などに利用することが可能である。
【図面の簡単な説明】
【００３１】
【図１】本発明の実施形態による光メモリ媒体再生装置のホログラムメモリからデータを読み出す場合の動作を示す概略図である。
【図２】本実施形態による光メモリ媒体再生装置のホログラムメモリの構造を示す断面図である。
【図３】本実施形態による光メモリ媒体再生装置の構造を示す概略図である。
【図４】本実施形態による光メモリ媒体再生装置がデジタルカメラとして動作する場合を示す概略図である。
【図５】従来のデジタルカメラの構成を示す概略図である。
【符号の説明】
【００３２】
１・・・デジタルカメラ
２・・・デジタルカメラ用結像レンズ
３・・・光検出器
４・・・被写体
５・・・被写体像
６（６−１、６−２、６−３・・・）・・・クラッド層
７（７−１、７−２、７−３・・・）・・・コア層
８・・・ホログラムメモリ
９・・・ホログラムメモリ用集光レンズ
１０・・・レーザ光
１１・・・回折光
１２・・・ホログラム像
１３・・・光メモリ媒体再生装置
【図１】
2006004517.tif 000003
【図２】
2006004517.tif 000004
【図３】
2006004517.tif 000005
【図４】
2006004517.tif 000006
【図５】
2006004517.tif 000007